(57)【要約】      （修正有）【課題】広告告知部の角度を変更して見やすくすると共に、この状態を保持するようにした告知広告具を提供する。【解決手段】略水平のベース部１の前端部に設けた略垂直に起立する前側衝立板３または前側衝立板３に固定のジョイント部５に回動支持部１２を設け、該回動支持部１２に、前側衝立板３またはジョイント部５の前側に設ける広告告知部１０の基部の告知部取付部１１を、着脱自在かつ回動自在に取付ける。告知部取付部１１と回動支持部１２は、何れか一方を溝形状に形成し、何れか他方を突起形状に形成し、側方から嵌合させて取付ける。告知部取付部１１と回動支持部１２の何れか一方の溝１３は円形状に形成し、何れか他方の突起は外周に円弧部を設けて形成する。【選択図】図１
0003174751.tif 000002
【実用新案登録請求の範囲】
【請求項１】
略水平のベース部１の前端部に設けた略垂直に起立する前側衝立板３または前側衝立板３に固定のジョイント部５に回動支持部１２を設け、該回動支持部１２に、前記前側衝立板３またはジョイント部５の前側に設ける広告告知部１０の基部の告知部取付部１１を、着脱自在且つ回動自在に取付け、前記告知部取付部１１と前記回動支持部１２には、何れか一方に溝１３を設け、何れか他方に突起１４を設け、  溝１３と突起１４の間には、前記告知部取付部１１をジョイント部５またはベース部１の前側衝立板３に対して所定位置に保持する保持機構２０を設け、該保持機構２０は、前記溝１３と突起１４の何れか一方に複数の係合凹部２１を形成し、何れか他方に何れかの係合凹部２１に係合する係合突部２２を形成し、前記告知部取付部１１を回動させると、前記溝１３および／または前記突起１４を弾性変形させて、前記係合凹部２１と係合突部２２とを係合させる構成とした告知広告具。
【請求項２】
請求項１において、前記保持機構２０は、前記告知部取付部１１側に後向き開口の溝１３を設け、該溝１３内に複数の前記係合凹部２１を形成し、前記ジョイント部５の上部に前向きで上下に円弧部１５を有する突起１４を設け、該突起１４の上側外周に前記係合突部２２を形成し、構成した告知広告具。
【請求項３】
請求項１において、前記保持機構２０は、前記告知部取付部１１側に下向きで前後に円弧部１５を有する突起１４を設け、該突起１４の後側外周に前記係合突部２２を形成し、前記ジョイント部５側に上向き開口の溝１３を設け、該溝１３内に複数の前記係合凹部２１を形成して構成した告知広告具。
【請求項４】
請求項１において、前記前側衝立板３の上部に突起１４を設け、該突起１４の前側外周の上下中間位置に前記係合突部２２を形成し、前記告知部取付部１１側に後向き開口の前記溝１３を設け、該溝１３内に複数の前記係合凹部２１を形成して構成した告知広告具。
【請求項５】
請求項１において、前記前側衝立板３の上部に上向き開口の前記溝１３を設け、該溝１３内に複数の前記係合凹部２１を形成し、前記告知部取付部１１側に円弧状の前記突起１４を設け、該突起１４に前記係合突部２２を形成して構成した告知広告具。
【請求項６】
請求項１において、前記ジョイント部５の上部に前記突起１４を設け、該突起１４の前側外周の上下中間位置に前記係合突部２２を形成し、前記告知部取付部１１側に後向き開口の前記溝１３を設け、該溝１３内に複数の前記係合凹部２１を形成して構成した告知広告具。
【請求項７】
請求項１において、前記ジョイント部５の上部に上向き開口の前記溝１３を設け、該溝１３内に複数の前記係合凹部２１を形成し、前記告知部取付部１１側に円弧状の前記突起１４を設け、該突起１４に前記係合突部２２を形成して構成した告知広告具。
【請求項８】
請求項１〜請求項７の何れか１項において、前記告知広告具は、合成樹脂の押出成形または射出成形により形成した告知広告具。
【考案の詳細な説明】
【技術分野】
【０００１】
本考案は、商品を載置して展示する商品陳列置台に取付けて使用する告知広告具に関するものである。
【背景技術】
【０００２】
従来、略水平のベース部の前端部に設けた略垂直に起立する前側衝立板または前側衝立板に固定のジョイント部に回動支持部を設け、該回動支持部に、前記前側衝立板またはジョイント部の前側に設ける広告告知部の基部の告知部取付部を、着脱自在且つ回動自在に取付けた構成は、公知である（特許文献１参照）。
【先行技術文献】
【特許文献】
【０００３】
【特許文献１】実用新案登録第３１０４７７６号公報
【考案の概要】
【考案が解決しようとする課題】
【０００４】
前記公知例のものは、広告告知部が回動自在であるが、所定角度に保持することはできず、購買者が商品購入の際に接触して、表示角度が変わってしまうという課題がある。
即ち、公知例は所謂嵌合により取り付けているので、摩擦抵抗により保持するので、操作が面倒であり、また、使用期間が長くなると摩擦抵抗が減少し、耐久性が落ちるという課題がある。
本願は、広告告知部の角度を変更して見やすくすると共に、この状態を保持するようにしたものである。
【課題を解決するための手段】
【０００５】
請求項１の考案は、略水平のベース部１の前端部に設けた略垂直に起立する前側衝立板３または前側衝立板３に固定のジョイント部５に回動支持部１２を設け、該回動支持部１２に、前記前側衝立板３またはジョイント部５の前側に設ける広告告知部１０の基部の告知部取付部１１を、着脱自在且つ回動自在に取付け、前記告知部取付部１１と前記回動支持部１２には、何れか一方に溝１３を設け、何れか他方に突起１４を設け、溝１３と突起１４の間には、前記告知部取付部１１をジョイント部５またはベース部１の前側衝立板３に対して所定位置に保持する保持機構２０を設け、該保持機構２０は、前記溝１３と突起１４の何れか一方に複数の係合凹部２１を形成し、何れか他方に何れかの係合凹部２１に係合する係合突部２２を形成し、前記告知部取付部１１を回動させると、前記溝１３および／または前記突起１４を弾性変形させて、前記係合凹部２１と係合突部２２とを係合させる構成とした告知広告具としたものである。
請求項２の考案は、前記保持機構２０は、前記告知部取付部１１側に後向き開口の溝１３を設け、該溝１３内に複数の前記係合凹部２１を形成し、前記ジョイント部５の上部に前向きで上下に円弧部１５を有する突起１４を設け、該突起１４の上側外周に前記係合突部２２を形成し、構成した告知広告具としたものである。
請求項３の考案は、前記保持機構２０は、前記告知部取付部１１側に下向きで前後に円弧部１５を有する突起１４を設け、該突起１４の後側外周に前記係合突部２２を形成し、前記ジョイント部５側に上向き開口の溝１３を設け、該溝１３内に複数の前記係合凹部２１を形成して構成した告知広告具としたものである。
請求項４の考案は、前記前側衝立板３の上部に突起１４を設け、該突起１４の前側外周の上下中間位置に前記係合突部２２を形成し、前記告知部取付部１１側に後向き開口の前記溝１３を設け、該溝１３内に複数の前記係合凹部２１を形成して構成した告知広告具としたものである。
請求項５の考案は、前記前側衝立板３の上部に上向き開口の前記溝１３を設け、該溝１３内に複数の前記係合凹部２１を形成し、前記告知部取付部１１側に円弧状の前記突起１４を設け、該突起１４に前記係合突部２２を形成して構成した告知広告具としたものである。
請求項６の考案は、前記ジョイント部５の上部に前記突起１４を設け、該突起１４の前側外周の上下中間位置に前記係合突部２２を形成し、前記告知部取付部１１側に後向き開口の前記溝１３を設け、該溝１３内に複数の前記係合凹部２１を形成して構成した告知広告具としたものである。
請求項７の考案は、前記ジョイント部５の上部に上向き開口の前記溝１３を設け、該溝１３内に複数の前記係合凹部２１を形成し、前記告知部取付部１１側に円弧状の前記突起１４を設け、該突起１４に前記係合突部２２を形成して構成した告知広告具としたものである。
請求項８の考案は、前記告知広告具は、合成樹脂の押出成形または射出成形により形成した告知広告具としたものである。
【考案の効果】
【０００６】
請求項１の考案では、目線より高低何れの場合でも、広告告知部１０は見やすく、宣伝広告効果が高く、この状態を、係合凹部２１と係合突部２２により構成した保持機構２０に保持するので、メンテナンスも不要となる。
また、広告告知部１０の角度によっては、天井等に設置した店内の照明が反射することがあるが、広告告知部１０の角度を変更することにより、反射光を抑制し、見やすくすることができる。
また、商品陳列置台２の幅方向に複数の告知広告具を並設し、並設した告知広告具の広告告知部１０を同じ傾斜角度で載置することにより、商品の存在をアピールして、購入者の購買意欲を刺激できる。
請求項２の考案では、保持機構２０は、告知部取付部１１側に後向き開口の溝１３を設け、該溝１３内に複数の前記係合凹部２１を形成し、前記ジョイント部５の上部に前向きで上下に円弧部１５を有する突起１４を設け、該突起１４の上側外周に前記係合突部２２を形成しているので、上下の突起１４が安定して保持できる。
請求項３の考案では、前記保持機構２０は、前記告知部取付部１１側に下向きで前後に円弧部１５を有する突起１４を設け、該突起１４の後側外周に前記係合突部２２を形成し、前記ジョイント部５側に上向き開口の溝１３を設け、該溝１３内に複数の前記係合凹部２１を形成しているので、前後方向の荷重に対する係合を強固にして、所定角度に安定して保持できる。
請求項４の考案では、前記前側衝立板３の上部に突起１４を設け、該突起１４の前側外周の上下中間位置に前記係合突部２２を形成し、前記告知部取付部１１側に後向き開口の前記溝１３を設け、該溝１３内に複数の前記係合凹部２１を形成して構成しているので、上下方向の荷重に対する係合を強固にして、安定して保持できる。
請求項５の考案では、前記前側衝立板３の上部に上向き開口の前記溝１３を設け、該溝１３内に複数の前記係合凹部２１を形成し、前記告知部取付部１１側に円弧状の前記突起１４を設け、該突起１４に前記係合突部２２を形成しているので、前後方向の荷重に対する係合を強固にして、所定角度に安定して保持できる。
請求項６の考案では、
前記ジョイント部５の上部に前記突起１４を設け、該突起１４の前側外周の上下中間位置に前記係合突部２２を形成し、前記告知部取付部１１側に後向き開口の前記溝１３を設け、該溝１３内に複数の前記係合凹部２１を形成しているので、上下方向の荷重に対する係合を強固にして、所定角度に安定して保持できる。
請求項７の考案では、前記ジョイント部５の上部に上向き開口の前記溝１３を設け、該溝１３内に複数の前記係合凹部２１を形成し、前記告知部取付部１１側に円弧状の前記突起１４を設け、該突起１４に前記係合突部２２を形成しているので、前後方向の荷重に対する係合を強固にして、所定角度に安定して保持できる。
請求項８の考案では、簡単安価に製造できる。
【図面の簡単な説明】
【０００７】
【図１】告知広告具の側面図。
【図２】同分解断面図。
【図３】保持機構部分の拡大図。
【図４】他の実施例の告知広告具の側面図。
【図５】同分解断面図。
【図６】同保持機構部分の拡大図。
【図７】他の実施例の告知広告具の側面図。
【図８】同分解断面図。
【図９】同保持機構部分の拡大図。
【図１０】他の実施例の告知広告具の側面図。
【図１１】同分解断面図。
【図１２】同保持機構部分の拡大図。
【図１３】他の実施例の告知広告具の側面図。
【図１４】同分解断面図。
【図１５】同保持機構部分の拡大図。
【図１６】他の実施例の告知広告具の側面図。
【図１７】同分解断面図。
【図１８】同保持機構部分の拡大図。
【考案を実施するための形態】
【０００８】
本考案の一実施例を図面により説明すると、１は告知広告具のベース部であり、合成樹脂の押出成形あるいはまたは射出成形（インジェクション）により略水平矩形状に形成し、所定位置に設置した商品陳列置台２上に載置する。ベース部１の前端部には略垂直に起立する前側衝立板３を一体的に形成する。
【０００９】
前記前側衝立板３の前側には、ジョイント部５を着脱自在に取付ける。ジョイント部５は前側衝立板３および前記ベース部１と略同一幅に形成し、下部に前記前側衝立板３に嵌合する嵌合溝６を形成する。
【００１０】
なお、ジョイント部５は前記商品陳列置台２の前端部の止板部７に直接取付けてもよく、そのため、嵌合溝６の前側に止板部７に係合する係合溝８を形成する。また、ジョイント部５および係合溝８を設けないときは、商品陳列置台２の止板部７にベース部１の前側衝立板３を当接させ、告知広告具の落下を防止する。
【００１１】
ジョイント部５の上部には、広告告知部１０の基部の告知部取付部１１を着脱自在且つ回動自在に取付ける回動支持部１２を、設ける。なお、ジョイント部５を省略して、ベース部１の前側衝立板３に回動支持部１２を設けてもよい（図４、図５）。
【００１２】
前記告知部取付部１１と回動支持部１２は、何れか一方を溝形状に形成し、何れか他方を突起形状に形成し、互いに側方から嵌合させて取付ける。
【００１３】
図１、図２の実施例では、溝１３は後向き開口の円形状に形成し、上下に突出させた突起１４はそれぞれ外周を円弧部１５に形成している。
【００１４】
したがって、溝１３と突起１４は互いに回転自在となり、嵌合した状態で回動支持部１２に対して告知部取付部１１を回動させられる。
【００１５】
溝１３と突起１４の間には、告知部取付部１１をジョイント部５またはベース部１の前側衝立板３に対して所定位置に保持する保持機構２０を設ける。保持機構２０は、溝１３と突起１４の何れか一方に複数の係合凹部２１を形成し、何れか他方に何れかの係合凹部２１に係合する係合突部２２を形成して構成する（図２，図３）。
【００１６】
前記係合凹部２１と係合突部２２とは、前記告知部取付部１１を回動させると、前記溝１３および／または前記突起１４が弾性変形して、係合凹部２１が他の係合突部２２係合する構成とする。
【００１７】
図１〜図３の実施例では、告知部取付部１１側に後向き開口の円形状の溝１３を形成し、溝１３の内側上部に前記係合突部２２を形成し、前記ジョイント部５の上部に上下に突出させた突起１４の外周を円弧部１５に形成し、上側の円弧部１５に前記係合凹部２１を形成する。
【００１８】
図４〜図６は告知部取付部１１と回動支持部１２の他の実施例を示し、告知部取付部１１側に下向きで前後に円弧部１５を有する突起１４を設け、突起１４の後側外周に係合突部２２を形成し、ジョイント部５側に上向き開口の溝１３を設け、溝１３内に複数の係合凹部２１を形成している。
【００１９】
図７〜図９は告知部取付部１１と回動支持部１２の他の実施例を示し、ジョイント部５を省略し、前側衝立板３の上部に突起１４を設け、突起１４の前側外周の上下中間位置に係合突部２２を形成し、告知部取付部１１側に後向き開口の溝１３を設け、溝１３内に複数の係合凹部２１を形成している。
【００２０】
図１０〜図１２は告知部取付部１１と回動支持部１２の他の実施例を示し、ジョイント部５を省略し、前側衝立板３の上部に上向き開口の溝１３を設け、溝１３内に複数の係合凹部２１を形成し、告知部取付部１１側に円弧状の突起１４を設け、突起１４に係合突部２２を形成している。
【００２１】
図１３〜図１５は告知部取付部１１とジョイント部５に設けた回動支持部１２の他の実施例を示し、ジョイント部５の上部に突起１４を設け、突起１４の前側外周の上下中間位置に係合突部２２を形成し、告知部取付部１１側に後向き開口の溝１３を設け、溝１３内に複数の係合凹部２１を形成している。
【００２２】
図１６〜図１８は告知部取付部１１とジョイント部５に設けた回動支持部１２の他の実施例を示し、ジョイント部５の上部に上向き開口の溝１３を設け、溝１３内に複数の係合凹部２１を形成し、告知部取付部１１側に円弧状の突起１４を設け、突起１４に係合突部２２を形成している。
【００２３】
しかして、前記広告告知部１０の形状は任意であり、図１〜図６の実施例では前側に告知広告パーツ取付部３０を形成し、告知広告パーツ取付部３０には上下および表裏に夫々一対の挿入溝３１を形成し、挿入溝３１に広告パーツ３２を装着する。
【００２４】
この場合、告知広告パーツ取付部３０の表と裏の両方に広告パーツ３２を装着できるので、種々のバリエーションが可能となる。例えば、閉店間近になって、値引き販売するときは、告知広告パーツ取付部３０の表の広告パーツ３２を引き外し、後側の広告パーツ３２のみ表示するから、価格の切り替えを容易にできる。
【００２５】
（実施例の作用）
本願の告知広告具は、種々の利用方法がある。一例として、化粧水のような商品を商品陳列置台２に陳列するときは、商品陳列置台２の上面に載置したベース部１上に数本の商品を陳列し、告知広告パーツ取付部３０の裏の挿入溝３１に広告パーツ３２を装着すると、広告パーツ３２は透明である告知広告パーツ取付部３０を透かして広告パーツ３２を見ることができ、広告パーツ３２が汚れることはなく、耐久性を向上させて使用期間を長くする。
【００２６】
この場合、告知広告パーツ取付部３０の角度によっては、天井等に設置した店内の照明が告知広告パーツ取付部３０に反射することがあるが、本願では、ジョイント部５（ベース部１の前側衝立板３の前側衝立板３）の上部には、広告告知部１０の基部の告知部取付部１１を、着脱自在且つ回動自在に取付ける回動支持部１２を設けているから、回動支持部１２（ベース部１）に対して告知部取付部１１を回動させ、告知広告パーツ取付部３０の角度を変えて、見やすくする。
【００２７】
また、回動支持部１２（ベース部１）に対して告知部取付部１１を回動させることにより、商品陳列置台２に設置した高さにより購買者の目線に向けて広告告知部１０を対峙させるようにできる。
【００２８】
また、合成樹脂製のジョイント部５（ベース部１の前側衝立板３の前側衝立板３）の上部には、広告告知部１０の基部の告知部取付部１１を、着脱自在且つ回動自在に取付ける回動支持部１２を設ければよいので、特別な取付部材を使用しないので、コストを低くでき、特に、合成樹脂により形成するときは、告知部取付部１１および回動支持部１２の何れも一体成形で形成でき、製造が頗る容易となり、コスト削減効果が高い。
【００２９】
また、告知部取付部１１と回動支持部１２は嵌合状態で広告告知部１０の角度調節ができ、操作性が高い。
【００３０】
前記の場合、告知部取付部１１と回動支持部１２は何れか一方は溝形状に形成し、何れか他方は突起形状に形成し、側方から嵌合させて取付ける構成であるから、蝶番等の特別な部材を使用することなく、告知部取付部１１の告知広告パーツ取付部３０の角度調節ができる。
【００３１】
即ち、溝１３は円形状に形成し、突起１４は外周に円弧部１５を設けて形成しているから、左右幅の長い告知広告具の場合、一々着脱することなく、告知部取付部１１の告知広告パーツ取付部３０の角度調節ができ、操作性を向上させる。
【００３２】
また、溝１３と突起１４の間には、告知部取付部１１をジョイント部５またはベース部１の前側衝立板３に対して所定位置に保持する保持機構２０を設けているので、回動支持部１２（ベース部１）に対して告知部取付部１１を回動させると、係合凹部２１に係合している係合突部２２が、溝１３と突起１４を弾性変形させて他の係合凹部２１に係合し、この角度を保持する。
【００３３】
即ち、購入者が触れても、告知広告パーツ取付部３０の回動を防止する。
また、商品陳列置台２の幅方向に複数の告知広告具を並設し、並設した告知広告具の広告告知部１０を同じ傾斜角度で載置することにより、商品の存在をアピールして、購入者の購買意欲を刺激することもできる。
【００３４】
なお、前記した各実施例は、理解を容易にするために、個別または混在させて図示および説明しているが、これらの実施例は夫々種々組合せ可能であり、これらの表現によって、構成・作用等が限定されるものではなく、また、相乗効果を奏する場合も勿論存在する。
【００３５】
即ち、図示は省略されているが、図２の告知部取付部１１に突起１４を設け、ジョイント部５に溝１３を設けてもよく、他の実施例でも、溝１３と突起１４を入れ替えて設けてもよい。
【符号の説明】
【００３６】
１…ベース部、２…商品陳列置台、３…前側衝立板、５…ジョイント部、６…嵌合溝、７…止板部、８…係合溝、１０…広告告知部、１１…告知部取付部、１２…回動支持部、１３…溝、１４…突起、１５…円弧部、２１…係合凹部、２２…係合突部、３０…広告パーツ取付部、３１…挿入溝、３２…広告パーツ。
【図１】
0003174751.tif 000003
【図２】
0003174751.tif 000004
【図３】
0003174751.tif 000005
【図４】
0003174751.tif 000006
【図５】
0003174751.tif 000007
【図６】
0003174751.tif 000008
【図７】
0003174751.tif 000009
【図８】
0003174751.tif 000010
【図９】
0003174751.tif 000011
【図１０】
0003174751.tif 000012
【図１１】
0003174751.tif 000013
【図１２】
0003174751.tif 000014
【図１３】
0003174751.tif 000015
【図１４】
0003174751.tif 000016
【図１５】
0003174751.tif 000017
【図１６】
0003174751.tif 000018
【図１７】
0003174751.tif 000019
【図１８】
0003174751.tif 000020